(57)【要約】【課題】ＰＣカードに対する外力の付与による蓋部のエクステンデット部からの外れの恐れを低減し、且つ樹脂成形のための金型の構造を簡単化する。【解決手段】電子機器に挿入され、電気的に接続されて所定の機能を実行するＰＣカードであって、電子機器に挿入され電気的に接続される側を有する本体部と、本体部の電気的に接続される側と反対側に延長されたエクステンデット部と、エクステンデット部を覆う蓋部を有し、エクステンデット部及び蓋部は、電子機器に挿入される方向と平行な側壁に、それぞれ相互に同じ位置で対応し、且つ側壁の高さ方向にずれるように配置された複数組の引掛かり部を有し、蓋部の有する引掛かり部をエクステンデット部の引掛かり部を避けて、蓋部とエクステンデット部を対向させ、電子機器に挿入される方向と平行にスライドすることにより、蓋部とエクステンデット部の引掛かり部が上下に位置して、蓋部がエクステンデット部に固定される。【選択図】    図３
2005165977.tif 000002
【特許請求の範囲】
【請求項１】
電子機器に挿入され、電気的に接続されて所定の機能を実行するコンピュータ用カードであって、
前記電子機器に挿入され電気的に接続される側を有する本体部と、
前記本体部の前記電気的に接続される側と反対側に延長されたエクステンデット部と、  
前記エクステンデット部を覆う蓋部を有し、
前記エクステンデット部及び前記蓋部は、前記電子機器に挿入される方向と平行な側壁に、それぞれ相互に同じ位置で対応し、且つ前記側壁の高さ方向にずれるように配置された複数組の引掛かり部を有し、
前記蓋部の有する引掛かり部を前記エクステンデット部の引掛かり部を避けて、前記蓋部と前記エクステンデット部を対向させ、前記電子機器に挿入される方向と平行にスライドすることにより、前記蓋部と前記エクステンデット部の引掛かり部が上下に位置して、前記蓋部が前記エクステンデット部に固定される
ことを特徴とするコンピュータ用カード。
【請求項２】
請求項１において、
前記本体部と前記エクステンデット部により、回路部品が搭載された共通の基板を収容するように構成されていることを特徴とするコンピュータ用カード。
【請求項３】
請求項１において、
前記本体部は枠体を成し、
前記本体部の枠体は、前記エクステンデット部との境界端部に凹凸部を有し、
前記蓋部は、前記本体部の枠体の前記凹凸部と係合する凸凹部を有し、更に
前記蓋部と前記エクステンデット部を対向させ、前記電子機器に挿入される方向と平行にスライドする際に前記凹凸部と凸凹部が係合し、前記蓋部の前記スライド方向と反対方向への戻りを防止する仮止め機能を備える
ことを特徴とするコンピュータ用カード。
【請求項４】
請求項３において、
前記蓋部は、前記凸凹部より前記エクステンデット部側に近い部位に凹部を有し、
さらに、前記本体部を覆う化粧パネルを有し、
前記化粧パネルは、端部に前記蓋部の凹部に係止される突起部を有することを特徴とするコンピュータ用カード。
【発明の詳細な説明】
【技術分野】
【０００１】
本発明は、パーソナルコンピュータ等の電子機器に挿入し、電気的に接続されて各種機能を付加するためのコンピュータ用カード（以降、ＰＣカードという）であって、特に挿入された際に、電子機器から外部に延長した部分(エクステンデット部)を備えるＰＣカードに関する。
【背景技術】
【０００２】
前記のＰＣカードの従来構成例として図１にその分解図を示す。図１において、（Ａ）、（Ｂ）は、それぞれ一面側と、その背面側を示す分解図であり、本体部として枠体１と、枠体１から延長された延長部若しくはエクステンデット部２と呼ぶ部位を有している。
【０００３】
図１においては、枠体１とエクステンデット部２に収容される回路部品が搭載された回路基板が図示省略されている。さらに、回路基板には、図において右側部に電子機器に挿入された際に電気的に電子機器と接続されるコネクタが配置される。
【０００４】
エクステンデット部２は、更に蓋部３で覆われる構成である。図２は、エクステンデット部２と蓋部３の結合を説明する図である。エクステンデット部２と蓋部３は、合成樹脂で成形され、蓋部３のエクステンデット部２への結合構造は、従来構成例として図２に示すようである。
【０００５】
図２において、（Ａ）は完成した従来構成のＰＣカード１０の平面図であり、本体部１とエクステンデット部２を備えている。エクステンデット部２は、蓋部３により覆われ、本体部１は、化粧パネル４で覆われている。エクステンデット部２と反対側から電子機器に挿入され、端部１１のコネクタピンと電子機器のコネクタと接続されて、電気的接続が行われる。
【０００６】
（Ｂ）は、Ｘ−Ｘ線に沿う断面図で示すエクステンデット部２の組み立て手順を示す図である。又、（Ｃ）は、（Ｂ）の手順に対応して示す部分拡大図である。
【０００７】
すなわち、図２において、手順ａに示すようにエクステンデット部２に蓋部３がかぶされる構成である。エクステンデット部２と蓋部３は、合成樹脂で成形されており、それぞれに鍵状のロック片２−１，３−１が対向する両側壁に形成されている。エクステンデット部２に設けられるロック片２−１は外向きに、ロック片３−１は内向きの鍵状を成している。
【０００８】
さらに、前記ロック片３−１は、ロック片２−１より、変形しやすい肉厚を有している。したがって、蓋部３をエクステンデット部２に向けて押し込むことにより、手順ｂ、ｃに示される様に、ロック片３−１はロック片２−１に突き当たると外方に変形する。さらに押し込まれると、ロック片３−１の先端の鍵部が、ロック片２−１の鍵部内に落ち込み元の形状に復帰する。これにより、ロック片２−１とロック片３−１の鍵部が係合し、ロック状態となり蓋部３がエクステンデット部２に固定され、内部の回路が保護される。
【０００９】
したがって、図１、図２に示す従来構成では、エクステンデット部２への蓋部３の組み込み時に蓋部３の変形が不可欠である。さらに、ＰＣカード１０の取り扱いにおいて捻り、曲げ等の力が付与される可能性は大きく、これにより蓋部３がエクステンデット部２から外れる恐れが大であった。
【００１０】
また、エクステンデット部２と蓋部３のロック片２−１，３−１が鍵状を成しているために、これらを樹脂成形するための金型の構造が複雑となり、製造コスト面からも有利でなかった。
【００１１】
一方、かかる点に共通し、特にエクステンデット部の構成に特徴を有するＰＣカードが種々提案されている。(例えば、特許文献１、特許文献２参照)。
【００１２】
特許文献１に記載されるＰＣカードでは、ＰＣカードにおけるケース本体を構成する合成樹脂筺体のエクステンデット部における蓋部の組み込み固定は、ＰＣカードの長手方向に鍵部を有するロック機構により、嵌め殺し構造により実現している。かかる場合も、エクステンデット部と蓋部の樹脂成形は、複雑となることは避けられない。
【００１３】
また、特許文献２に記載のＰＣカードでは、エクステンデット部に被される蓋部を、本体部に取り付ける化粧パネルを本体部にネジにより取り付け、その際に化粧パネルの端部で蓋部を、押さえる構造である。
【特許文献１】特開２００３−９１７０６号公報
【特許文献２】特開平１１−９９７７９号公報
【発明の開示】
【発明が解決しようとする課題】
【００１４】
したがって、本発明の目的は、上記従来技術に鑑みて、ＰＣカードに対する捻り、曲げ等の力が付与される場合であっても、蓋部がエクステンデット部から外れる恐れが低減し、且つ樹脂成形のための金型の構造を簡単化するＰＣカードを提供することにある。
【課題を解決するための手段】
【００１５】
上記の課題を達成する本発明に従うＰＣカードは、第１の態様として、電子機器に挿入され、電気的に接続されて所定の機能を実行するＰＣカードであって、前記電子機器に挿入され電気的に接続される側を有する本体部と、前記本体部の前記電気的に接続される側と反対側に延長されたエクステンデット部と、前記エクステンデット部を覆う蓋部を有し、  前記エクステンデット部及び前記蓋部は、前記電子機器に挿入される方向と平行な側壁に、それぞれ相互に同じ位置で対応し、且つ前記側壁の高さ方向にずれるように配置された複数組の引掛かり部を有し、前記蓋部の有する引掛かり部を前記エクステンデット部の引掛かり部を避けて、前記蓋部と前記エクステンデット部を対向させ、前記電子機器に挿入される方向と平行にスライドすることにより、前記蓋部と前記エクステンデット部の引掛かり部が上下に位置して、前記蓋部が前記エクステンデット部に固定されることを特徴とする。
【００１６】
上記の課題を達成する本発明に従うＰＣカードは、第２の態様として、第１の態様において、前記本体部と前記エクステンデット部により、回路部品が搭載された共通の基板を収容するように構成されていることを特徴とする。
【００１７】
上記の課題を達成する本発明に従うＰＣカードは、第３の態様として、第１の態様において、前記本体部は枠体を成し、前記本体部の枠体は、前記エクステンデット部との境界端部に凹凸部を有し、前記蓋部は、前記本体部の枠体の前記凹凸部と係合する凸凹部を有し、前記蓋部と前記エクステンデット部を対向させ、前記電子機器に挿入される方向と平行にスライドする際に前記凹凸部と凸凹部が係合し、前記蓋部の前記スライド方向と反対方向への戻りを防止する仮止め機能を備えることを特徴とする。
【００１８】
さらに、上記の課題を達成する本発明に従うＰＣカードは、第４の態様として、第３の態様において、前記蓋部は、前記凸凹部より前記エクステンデット部側に近い部位に凹部を有し、さらに、前記本体部を覆う化粧パネルを有し、前記化粧パネルは、端部に前記蓋部の凹部に係止される突起部を有することを特徴とする。
【００１９】
本発明の特徴は、以下に図面に従い説明される発明の実施の形態例から更に明らかになる。
【発明の効果】
【００２０】
本発明に従うＰＣカードは、前記エクステンデット部及び蓋部に形成された複数の引掛かり部により蓋部をエクステンデット部に固定する構造であるので、ＰＣカードの捻り、曲げに対してエクステンデット部から外れず恐れが小さい。また、エクステンデット部及び蓋部は、相互のスライドにより前記引掛かり部が係合する構造であるので、蓋部のエクステンデット部への固定に際し、変形を生じる恐れが無い。
【発明を実施するための最良の形態】
【００２１】
以下に図面に従い本発明の実施の形態例を説明する。尚、図に示される実施の形態例は本発明の理解のためのものであって、本発明の技術的範囲は、これらに限定されるものではない。
【００２２】
図３は、本発明に従うＰＣカードの一実施の形態例における本体部１とエクステンデット部２の構造を示す分解図である。図３では本体部１とエクステンデット部２に収容される回路部品が搭載された回路基板の存在は図示省略されている。
【００２３】
図３において、（Ａ）はＰＣカードの上面側を、（Ｂ）は反対面側を示している。ここで、本発明のＰＣカードの概念は、ＰＣＭＣＩＡ規格に準拠したＰＣカードとして適用可能であるが、これに限定されるものではない。すなわち、小型フラッシュメモリーカード等、種々の規格に基づく機能カードとして、構造上の制限が無い限り、本発明のＰＣカードの構造が適用可能であることはいうまでも無い。
【００２４】
図３に戻り説明する。本発明の特徴として、第１に、エクステンデット部２と蓋部３の前記電子機器に挿入される方向(矢印Ａの方向)と平行な側壁に、それぞれ相互に同じ位置で対応し、且つ前記側壁の高さ方向にずれるように配置された複数組の引掛かり部２１，３１を有している。
【００２５】
かかる引掛かり部２１，３１の詳細説明図が図４に示される。蓋部３をエクステンデット部２に固定する場合、先ず、蓋部３に有する引掛かり部３１をエクステンデット部２の引掛かり部２１を避けて、蓋部３とエクステンデット部を対向させる。次いで、図４に矢頭が黒である矢印方向即ち、前記電子機器に挿入される方向と平行に、蓋部３とエクステンデット部２を相対的にスライドすることにより、蓋部３とエクステンデット部２の引掛かり部３１，２１が相対に上下に位置することになる。これにより、蓋部３がエクステンデット部２に固定されることになる。
【００２６】
この際、引掛かり部２１と３１は、複数組あり、従って先に説明した従来例に比べ、蓋部３がエクステンデット部２との間の固定箇所を複数とすることができ、より強固に固定することが可能である。
【００２７】
さらに、特徴として、本体部１の両枠体は、エクステンデット部２との境界端部に凹凸部１２を有し、蓋部３は、本体部１の前記枠体の凹凸部１２と係合する凸凹部３０を有している。この凹凸部１２と凸凹部３０の係合により、後に組立工程の説明において言及するように、蓋部３をエクステンデット部２に固定する際の仮止め機能を実現する。
【００２８】
図５は、本発明に従うＰＣカード１０の組立て工程を説明する図である。
【００２９】
図５ａにおいて、本体部１及びエクステンデット部２に共通の回路部品が搭載された回路基板１００が収容される。蓋部３は、電子機器への挿入方向(矢印２００)と平行な両側壁に引掛かり部３１を備え、エクステンデット部２はこれに対応する位置に引掛かり部２１を備えている。
図５ｂに拡大円で示すように、蓋部３の引掛かり部３１をエクステンデット部２の対応する引掛かり部２１を避けるように、蓋部３をエクステンデット部２に対向させる。次いで、矢印２０１の方向に蓋部３をスライドさせる。これにより、引掛かり部２１と、３１は、上下に位置して、蓋部３が前記エクステンデット部２に固定される
ここで、かかる固定は蓋部３のエクステンデット部２に対し垂直方向への固定であるが、スライド方向の固定が必要である。本発明は、先に図３において説明したように、本体部１は、エクステンデット部２との境界端部に、凹１２１と凸１２２を有する凹凸部１２を備え、蓋部３には凹凸部１２に対応する凸３０１と凹３０２を有する凸凹部３０を備えている。
【００３０】
したがって、蓋部３を矢印２０１方向にスライドすることにより、図５ｃに部分拡大して示すように、凹部１２１及び凸部１２２から成る凹凸部１２と、凸部３０１及び凹部３０２から成る凸凹部３０とが係合する。これにより蓋部３が矢印２０１方向と反対方向にスライドして戻るのを仮止めすることができる。
【００３１】
さらに、蓋部３には、前記凸凹部３０よりエクステンデット部２側に近い部位に凹部３０３を有している。
【００３２】
この凹部３０３には、化粧パネル４に形成された突起４１が挿入される。化粧パネル４は、図５ｄに示すように、本体部１の部分の回路基板を覆う様に表裏から本体部１に貼り付けられる。
【００３３】
その際、化粧パネル４の端部に突起部４１を有し、蓋部３の凹部３０３に係止される。したがって、凹凸部１２と凸凹部３０との係合が外れ、蓋部３が逆方向にスライド移動することを防ぐことができる。
【００３４】
このようにして、本発明の特徴を有するＰＣカードが完成する(図５ｅ参照)。
【産業上の利用可能性】
【００３５】
上記に説明した本発明の構成により、本発明に従うＰＣカードにおいて、蓋部をエクステンデット部と垂直並びに、水平方向に固定することが可能である。これにより、より信頼度の高いＰＣカードの提供が可能であり、産業上寄与するところが大である。
【図面の簡単な説明】
【００３６】
【図１】ＰＣカードの従来構成例としての分解図を示す図である。
【図２】図２は、図１のエクステンデット部２と蓋部３の結合を説明する図である。
【図３】本発明に従うＰＣカードの一実施の形態例における本体部１とエクステンデット部２の構造を示す分解図である。
【図４】図３における引掛かり部２１，３１の詳細説明図である。
【図５】本発明に従うＰＣカード１０の組立て工程を説明する図である。
【符号の説明】
【００３７】
１  本体部
２  エクステンデット部
３  蓋部
４  化粧パネル
２１、３１  引掛かり部
１２  凹凸部
３０  凸凹部
【図１】
2005165977.tif 000003
【図２】
2005165977.tif 000004
【図３】
2005165977.tif 000005
【図４】
2005165977.tif 000006
【図５】
2005165977.tif 000007